(57)【要約】【課題】フィルムの交換を円滑に行うことができる中間転写型熱転写印刷装置を提供する。【解決手段】中間転写型熱転写印刷装置１は、フィルムＦの搬送路Ｈ１の内側に位置するプラテンローラ２０を有し、画像の熱転写及び熱再転写を行う印刷部と、印刷部に配置されて、フィルムＦの着脱が可能なフィルムカセット部１３と、フィルムカセット部１３をプラテンローラ２０の回転軸線Ｄ方向にスライドさせるガイドレールと、プラテンローラ２０の外周面からフィルムＦを剥離させるようにフィルムＦの搬送路Ｈ１を内側から外側に横切って移動する剥離ピン３３ｈと、を備えている。【選択図】図９
2007307837.tif 000002
【特許請求の範囲】
【請求項１】
サーマルヘッドとプラテンローラとの協働により、インクリボン上の配色に基づいてフィルムに画像が熱転写され、このフィルムを、ヒートローラで加熱させながら記録媒体に押圧することによって、前記記録媒体の表面に前記フィルム上の画像を熱再転写する中間転写型熱転写印刷装置において、
前記フィルムの搬送路の内側に位置する前記プラテンローラを有し、前記画像の熱転写及び熱再転写を行う印刷部と、
前記印刷部に配置されて、前記フィルムの着脱が可能なフィルムカセット部と、
前記フィルムカセット部を前記プラテンローラの回転軸線方向にスライドさせるガイドレールと、
前記プラテンローラの外周面から前記フィルムを剥離させるように前記フィルムの前記搬送路を内側から外側に横切って移動する剥離ピンと、を備えたことを特徴とする中間転写型熱転写印刷装置。
【請求項２】
前記フィルムカセット部は、前記プラテンローラの回転軸線方向に直交する面内で回動する回動レバーを更に有し、前記回動レバーの先端には、前記剥離ピンが取り付けられ、
前記回動レバーには、前記印刷部のフレームに係合するロック用フック部が設けられ、前記フック部は、前記剥離ピンが前記搬送路の内側に位置した状態で前記印刷部のフレームに係止され、前記剥離ピンが前記搬送路の内側から外側に向けて移動する際に係止が解除されることを特徴とする請求項１に記載の中間転写型熱転写印刷装置。
【発明の詳細な説明】
【技術分野】
【０００１】
本発明は、印刷画像をフィルム上に一旦転写した後、フィルム上の画像を記録媒体の表面に転写するための中間転写型熱転写印刷装置に関するものである。
【背景技術】
【０００２】
従来、このような分野の技術として、下記特許文献１に記載の熱転写プリンタが知られている。この熱転写プリンタでは、プラテンローラの略半周面に押し当てられるように巻き付けられたフィルムに対し、サーマルヘッドによって、プラテンローラ上のフィルムにカラーインクリボンが押し当てられる。そして、フィルム及びカラーインクリボンをサーマルヘッドとプラテンローラとで挟み込んで、カラーインクリボンによってフィルム上に画像を一旦熱転写（一次転写）し、その後、フィルム上の画像とカードの表面とを重ね合わせながら、ヒートローラでフィルムを加熱させている。このとき、フィルムをカードに押圧することによって、カードの表面にフィルム上の画像が再転写される。
【０００３】
ところで、この熱転写プリンタのフィルムはフィルムカートリッジに収納されており、フィルムを交換する場合はこのフィルムカートリッジを抜き差ししカートリッジごと交換する。また、この熱転写プリンタでは、画像の印画処理時のみフィルムをプラテンローラに密着させ、停止時においてはフィルムをプラテンローラから退避させ離間させている。従って、停止時においては、フィルムカートリッジを円滑に抜き差しすることができ、フィルムの交換を容易に行うことができる。
【特許文献１】特開２００５−１６１８２４号公報
【発明の開示】
【発明が解決しようとする課題】
【０００４】
しかしながら、この種の印刷装置は小型化の要請が高く、上記のようにフィルムをプラテンローラから離間させるための退避スペースを確保出来ない場合がある。この場合は、印画処理時のみならず停止時においてもフィルムをプラテンローラに密着させた状態とせざるを得ない。ところが、このような構成では、フィルムの交換を行う場合に、プラテンローラに密着した部分が邪魔になりフィルムを円滑に抜き差しすることができないという問題がある。
【０００５】
そこで、本発明は、フィルムの交換を円滑に行うことができる中間転写型熱転写印刷装置を提供することを目的とする。
【課題を解決するための手段】
【０００６】
本発明に係る中間転写型熱転写印刷装置は、サーマルヘッドとプラテンローラとの協働により、インクリボン上の配色に基づいてフィルムに画像が熱転写され、このフィルムを、ヒートローラで加熱させながら記録媒体に押圧することによって、記録媒体の表面にフィルム上の画像を熱再転写する中間転写型熱転写印刷装置において、フィルムの搬送路の内側に位置するプラテンローラを有し、画像の熱転写及び熱再転写を行う印刷部と、印刷部に配置されて、フィルムの着脱が可能なフィルムカセット部と、フィルムカセット部をプラテンローラの回転軸線方向にスライドさせるガイドレールと、プラテンローラの外周面からフィルムを剥離させるようにフィルムの搬送路を内側から外側に横切って移動する剥離ピンと、を備えたことを特徴とする。
【０００７】
この中間転写型熱転写印刷装置に利用されるフィルムは、印刷部に配置されたフィルムカセット部に装着される。このようなフィルムを交換する場合には、剥離ピンを、フィルムの搬送路の内側から外側に横切って移動させることで、搬送路内側に位置するプラテンローラからフィルムを剥離させ離間させることができる。その状態で、フィルムカセット部がガイドレールによりプラテンローラの回転軸方向にスライドされ、フィルムを着脱可能な位置に移動させることができる。このとき、上記のようにフィルムが剥離ピンによってプラテンローラから離間されているので、フィルムとプラテンローラとが干渉することなく、フィルムカセット部をフィルム交換可能な位置まで円滑にスライドすることができ、フィルムの交換を円滑に行うことができる。
【０００８】
また、フィルムカセット部は、プラテンローラの回転軸線方向に直交する面内で回動する回動レバーを更に有し、回動レバーの先端には、剥離ピンが取り付けられ、回動レバーには、印刷部のフレームに係合するロック用フック部が設けられ、フック部は、剥離ピンが搬送路の内側に位置した状態で印刷部のフレームに係止され、剥離ピンが搬送路の内側から外側に向けて移動する際に係止が解除されることが好ましい。
【０００９】
この場合、回動レバーが回動することにより、この回動レバーの先端に取り付けられた剥離ピンがフィルム搬送路の内側と外側との間で移動する。そして、剥離ピンがフィルム搬送路の内側にあるときには、回動レバーのロック用フック部が印刷部のフレームに係止されるので、フィルムカセット部のスライド移動がロックされた状態となっている。この状態から回動レバーを回動させることで、剥離ピンをフィルム搬送路の外側に移動させフィルムをプラテンローラから離間すると共に、フィルムカセット部のスライド移動のロックを解除することができる。このように、フィルムの離間とスライドのロック解除とを同時に行うことができるので、フィルムの交換の作業性が向上する。
【発明の効果】
【００１０】
本発明の中間転写型熱転写印刷装置によれば、フィルムの交換を円滑に行うことができる。
【発明を実施するための最良の形態】
【００１１】
以下、図面を参照しつつ本発明に係る中間転写型熱転写印刷装置の好適な実施形態について詳細に説明する。
【００１２】
図１〜図４に示された中間転写型熱転写印刷装置１は、全自動の冊子プリンタであり、印刷画像を厚さ約２０μｍ程度の透明なフィルムＦに一旦転写した後、このフィルムＦから記録媒体（例えばパスポート、通帳などの冊子）Ｓに再転写する装置である。このような熱転写印刷装置１は、冊子Ｓの見開きの片面に高品位な画像（例えば顔写真や標識や文字）を印刷することができる。従って、この装置１は、高品位印刷が可能で、顔写真の入った冊子Ｓの発行をも可能にし、セキュリティを高めることができる。
【００１３】
このような中間転写型熱転写印刷装置１において、筐体５の下段側には、冊子Ｓを水平方向に積層可能な冊子ストッカー４が配置され、装置１の上段側には、冊子ストッカー４から一冊ずつ排出された冊子Ｓに画像を印刷するための印刷部３が配置されている。冊子ストッカー４は、水平方向に引出し可能であり、冊子ストッカー４内では、Ｌ字状に広げられた冊子Ｓが水平方向に重ねられている。冊子Ｓは、冊子ストッカー４の奥側で吸盤６に吸着され、ポンプＰによって真空引きされた状態の吸盤６が横方向に移動することで、冊子Ｓは、冊子ストッカー４の奥側から横方向に一冊ずつ引き出される。筐体５の下段側に設けられた観音開き型の扉５ａを開くことによって、冊子ストッカー４を手前側に引き出すことができ、冊子ストッカー４内に冊子Ｓを補充することができる。
【００１４】
装置１の上段と下段とはベルト搬送方式の傾斜リフト部７で連結され、傾斜リフト部７の下端側及び上端側には回転自在な冊子方向転換部８，９が配置されている。吸盤６で搬送されてきた冊子Ｓは、送り込みローラ８ａによって下端側の冊子方向転換部８内に取り込まれ、冊子方向転換部８は傾斜リフト部７の下端側に送り込むように所定角度内で回動する。上端側の冊子方向転換部９は、傾斜リフト部７の上端から排出された冊子Ｓを上段の印刷部３の搬送部Ｃ内に送り込むように所定角度内で回動する。そして、冊子方向転換部９から排出された冊子Ｓは、冊子送り込み爪２７によって、冊子Ｓをスライドさせながら印刷部３の搬送部Ｃに受け渡される。なお、上端側の冊子方向転換部９が直立状態になって、冊子Ｓを非接触ＩＣ読み／書き部１０内に送り込むことで、冊子Ｓ内に埋め込まれているＩＣチッブの読み書きが行われる。
【００１５】
次に、筐体５の上段側に配置された印刷部３では、フィルムＦに画像を熱転写するための記録部（一次転写部）Ａと、フィルムＦに転写された画像と冊子Ｓとを対向させて、冊子Ｓに画像を熱転写するための熱再転写部（二次転写部）Ｂと、冊子Ｓを水平方向に搬送させるための搬送部Ｃとを備えている。
【００１６】
この印刷部３には、水平方向に引出し可能なフィルムカセット部１３とリボンカセット部１４とが配置されている。このフィルムカセット部１３内のフィルムＦは、上下一対のボビン１５，１６に巻かれた状態で交換可能である。リボンカセット部１４内のカラーインクリボンＲも同様に、上下一対のボビン１７，１８に巻かれた状態で交換可能である。そして、リボンカセット部１４内のカラーインクリボンＲには、溶融性又は昇華性のイエロー・マゼンタ・シアンの３色（またはブラックを加えた４色）のインクを１フレームとして周期的にインクが塗布されている。なお、フィルムＦ又はリボンＲを交換する際には、筐体５の上段側に設けられた跳ね上げ式の扉５ｂを持ち上げる。
【００１７】
さらに、記録部Ａにおいて、プラテンローラ(通称「プラテン」)２０とプラテンローラ２０に対する離間／接近が可能なクランプローラ１９ａ，１９ｂとの協働により、フィルムＦは、プラテンローラ２０の周面の３／４周に巻き付け固定されると共に、プラテンローラ２０の回転に追従して移動する。そして、一次転写時において、サーマルヘッド２１がプラテンローラ２０に向かって前進し、サーマルヘッド２１によって、カラーインクリボンＲがプラテンローラ２０上のフィルムＦに押し当てられる。そして、モータによってプラテンローラ２０を正転させ、フィルムＦとカラーインクリボンＲとを同期させながら下方に送ることで、加熱状態のサーマルヘッド２１によって、カラーインクリボンＲの第１色目（シアン）がフィルムＦ上に熱転写される。また、フィルムＦ上に画像を熱転写した後のカラーインクリボンＲは、サーマルヘッド２１の後退後、フィルムＦから剥離させられながらボビン１８に巻き取られて行く。
【００１８】
次に、フィルムＦとカラーインクリボンＲとを離間させた状態で、プラテンローラ２０を逆転させながらフィルムＦを上昇させて元の位置に復帰させる。その後、前述の転写動作を繰り返しながら、フィルムＦ上にマゼンタ、イエロー、ブラックの順に色を重層させて、所望のカラー画像をフィルムＦ上に作り出す。その後、プラテンローラ２０からクランプローラ１９ａ，１９ｂを離間させ、巻取り側ボビン１６等の回転によってフィルムＦを搬送路Ｈ１（図８、図９参照）上で搬送し、フィルムＦ上の記録画像をヒートローラ２３の近くまで移動させる。
【００１９】
また、搬送部Ｃにおいて、冊子Ｓの見開きページの印刷予定面が搬送テーブル２４によって支持された状態で、搬送テーブル２４は水平方向に移動する。このとき、冊子Ｓは、フィルムＦ上の記録画像と位置合わせされ、冊子Ｓの見開きページの印刷予定面とフィルムＦとが重ね合わされた状態で熱再転写部Ｂに送り込まれる。
【００２０】
この熱再転写部Ｂにおいて、冊子Ｓの印刷予定面にフィルムＦが重ね合わされた状態で、冊子Ｓ及びフィルムＦは、ヒートローラ２３と搬送テーブル２４とで挟み込まれ、１６０〜２００°Ｃに加熱されたヒートローラ２３と搬送テーブル２４との協働により、冊子ＳとフィルムＦとを加圧搬送させながら、フィルムＦ上の記録画像を冊子Ｓの印刷予定面上に徐々に転写させていく。このとき、フィルムＦは、冊子Ｓから剥離しながらボビン１６に巻き取られていく。
【００２１】
印刷が完了した冊子Ｓは搬送部Ｃから排出された後、冊子送り込み爪２８によって、冊子Ｓをスライドさせながら冊子方向転換部２５内に送り込まれる。この冊子方向転換部２５が直立状態になって、冊子Ｓを非接触ＩＣ読み／書き部２７内に送り込むことで、冊子Ｓ内に埋め込まれているＩＣチッブの読み書きが行われる。その後、冊子Ｓが冊子方向転換部２５内に送り戻された後、冊子方向転換部２５を水平状態にして、スタッカー２６内に冊子Ｓが排出される。このスタッカー２６内には、印刷や情報書き込みが完了した冊子Ｓがストックされる。なお、情報の書き込みや読み込みエラーが発生した冊子Ｓは、リジェクトストッカ２９内に排出される。
【００２２】
前述した中間転写型熱転写印刷装置１は、紙製のシート（例えばＶＩＳＡシート）Ｇの印刷も可能である。シートストッカー３０内で平積みされたシートＧは、下から押し上げられながら搬送路２を通って冊子方向転換部８内に送り込まれる。そして、シートＧは、傾斜リフト部７を通って印刷部３に供給され、印刷完了後はスタッカー２６内でストックされる。
【００２３】
続いて、この中間転写型熱転写印刷装置１の上記印刷部３について、更に詳細に説明する。図５〜図７に示すように、印刷部３は、プラテンローラ２０やヒートローラ２３等を含む印刷部本体３１と、この印刷部本体３１に取り付けられ、上記ボビン１５，１６に巻かれた状態のフィルムＦを保持するフィルムカセット部１３とを備えている。このフィルムカセット部１３は、プラテンローラ２０の回転軸線Ｄに直交する前面プレート１３ａと、前面プレート１３ａの後方に取り付けられた２つのボビン装着部１３ｂ，１３ｃとを備えている。上側のボビン装着部１３ｂには、フィルムＦが巻き付けられた供給側ボビン１５が着脱自在に取り付けられ、下側のボビン装着部１３ｃには、使用済みのフィルムＦが巻き取られる巻取り側ボビン１６が着脱自在に取り付けられている。更に、前面プレート１３ａには、後方に延びる４本のガイドピン３３ａ，３３ｂ，３３ｃ，３３ｄが取り付けられており、フィルムＦは、供給側ボビン１５から、これらのガイドピン３３ａ〜３３ｄの外側に順に引っ掛けられ、巻取り側ボビン１６まで張り渡されている。
【００２４】
このとき、図８に示すように、フィルムＦの搬送路Ｈ１に囲まれた内側の領域において、ガイドピン３３ａとガイドピン３３ｂとの間には、印刷部本体３１に支持されたプラテンローラ２０が存在している。従って、ガイドピン３３ａとガイドピン３３ｂとの間においては、フィルムＦはプラテンローラ２０の上側の外周面に密着し巻き付いている。以上のように、フィルムカセット部１３に装着されたフィルムＦは、プラテンローラ２０を内側に囲む搬送路Ｈ１に沿って張り渡されている。このように、この装置１においては、印刷部３の小型化を図るため、印画処理時のみならず停止時においてもフィルムＦとプラテンローラ２０とを密着させた状態とする構造を採用し、フィルムＦをプラテンローラ２０から退避させるための退避機構及び退避スペースを省略している。
【００２５】
なお、図５〜７に示すように、これらのガイドピン３３ａ〜３３ｄの中央部には、フィルムＦを送るガイドローラ３３ｅが設けられているので、フィルムＦは供給側ボビン１５と巻取り側ボビン１６との間を円滑に搬送される。また、ガイドピン３３ａ及び３３ｂには、搬送されるフィルムＦに接触し除電するための除電ブラシ３３ｆも取り付けられている。
【００２６】
また、このフィルムカセット部１３は、前面プレート１３ａから後方に延び出すように設けられたガイド部３５を有しており、このガイド部３５の両側面には、前後方向に延びるスライドレール（ガイドレール）３５ａ，３５ａが取り付けられている。そして、このガイド部３５が印刷部本体３１に挿入され、スライドレール３５ａが、印刷部本体３１側の対応するスライドレール（図示せず）にそれぞれ係合している。このようなスライドレール機構により、フィルムカセット部１３は、フィルムＦを保持したまま、印刷部本体３１に対しプラテンローラ２０の回転軸線Ｄの方向に前後移動可能である。また、このスライドレール３５ａとしてはストッパ機構を有するものが採用されており、フィルムカセット部１３が印刷部本体３１から完全に外れないようにスライド範囲が規制されている。
【００２７】
このような構成により、フィルムカセット部１３は、印刷部本体３１から前方に迫り出した状態でストップし、ガイド部３５を介して印刷部本体３１により支持される（図６参照）。なお、スライドレール３５ａの上記ストッパ機構を解除することにより、フィルムカセット部１３を完全に引き出し、フィルムカセット部１３を印刷部本体３１から取り外すこともできる。このように、印刷部本体３１から取り外せば、フィルムカセット部１３のメンテナンスを容易に行うことができる。
【００２８】
また、上述したように、フィルムＦがプラテンローラ２０に密着していることから、その状態のままフィルムカセット部１３を前方にスライドさせれば、密着したフィルムＦがプラテンローラ２０に引っ張られてボビン１５，１６から繰り出され、フィルムＦが弛んでしまう。そして、このようにフィルムＦが弛むと、印刷部本体３１側のガイドピン３１ｂや機械部に絡んでしまう場合があるので、フィルムＦの取り外しが煩雑になってしまうといった問題が発生する。そこで、フィルムカセット部１３は、印刷部本体３１からの引き出しの際に、フィルムＦをプラテンローラ２０の外周面から剥離するための剥離ピン３３ｈを有している。
【００２９】
図７〜図１０に示すように、この剥離ピン３３ｈは、フィルムカセット部１３の回動レバー３７の先端に取り付けられており、ガイドピン３３ａ〜３３ｄと平行に延びている。この回動レバー３７は、ギア駆動部３９を介して操作ハンドル４３の回動とリンクしながら、軸３９ａを中心として前面プレート１３ａに平行な面内で回動する。このとき、剥離ピン３３ｈは、軸３９ａを中心とした円軌道を描きながら、プラテンローラ２０とガイドピン３３ｂとの間隙を移動する。そして、このような剥離ピン３３ｈが、上記円軌道上において、搬送路Ｈ１の内側の初期ポジションＪ１から、搬送路Ｈ１を横切って、搬送路Ｈ１の外側の剥離ポジションＪ２まで移動すると、フィルムＦは、剥離ピン３３ｈによって上方に押し上げられ、プラテンローラ２０から剥離され離間する（図１０参照）。
【００３０】
そして、押し上げられたフィルムＦは、クランプローラ１９ａ，１９ｂとプラテンローラ２０との間を通り、且つ、クランプローラ１９ａ，１９ｂ、プラテンローラ２０、及び、印刷部本体３１側のガイドピン３１ｂのいずれにも接触しない軌道Ｈ２上に張り渡された状態となる。このような状態で、フィルムカセット部１３を印刷部本体３１からスライドさせ引き出せば、フィルムＦがプラテンローラ２０やクランプローラ１９ａ，１９ｂやガイドピン３１ｂに引っ張られることもなく、円滑に前方にスライドすることができる。
【００３１】
なお、図１１に示すように、上記ギア駆動部３９は、操作ハンドル４３に固定されたギア３９ａと、回動レバー３７に固定されたギア３９ｃと、ギア３９ｃとギア３９ａとの回転をリンクさせるギア３９ｂと、の３枚のギアを有している。更に、このギア駆動部３９は、ギア３９ａに取り付けられた４つのボールプランジャ３９ｄと、各ボールプランジャ３９ｄのそれぞれが選択的に係合する２組の凹部３９ｅ，３９ｆを有している。このようなボールプランジャ３９ｄが、２組の凹部３９ｅ，３９ｆの何れかに選択的に係合することで、操作ハンドル４３は回動範囲内の２位置の何れかにおいて選択的に固定され、これに対応して、回動レバー３７及び剥離ピン３３ｈも、上記初期ポジションＪ１と剥離ポジションＪ２との２点において固定されるようになっている。
【００３２】
また、図８及び図１２に示すように、上記回動レバー３７の基端部近傍の後面側には、円柱の頸部４５ｂの先端に形成された円形の係止部４５ａをもつロック用フック部４５が設けられている。このフック部４５は、剥離ピン３３ｈが初期ポジションＪ１にある状態のときに、係止ポジションＫ１に位置している。この状態においては、フック部４５の係止部４５ａが印刷部本体３１のフレーム３１ａの前面上端に引っ掛かっているので、フィルムカセット部１３が印刷部本体３１に対して固定され、フィルムカセット部１３のスライド移動がロックされる。このようなロック機構により、冊子Ｓの印画処理時において不用意にフィルムカセット部１３がスライド移動してしまったり、フィルムカセット部１３がガタついたりすることが防止される。また、剥離ピン３３ｈが剥離ポジションＪ２に移動したときには、このフック部４５は、解除ポジションＫ２に移動してフレーム３１ａから外れ、このことで、フィルムカセット部１３のスライド移動のロックが解除される。
【００３３】
以上のような印刷部３の構成により、ユーザがフィルムＦの交換を行う際には、筐体５の扉５ｂを開けた後、操作ハンドル４３を時計回りに約４５°回転させると、回動レバー３７が時計回りに回動する。この回動レバー３７の回動によって、フック部４５が解除ポジションＫ２に移動してフレーム３１ａから外れ、フィルムカセット部１３のスライド移動のロックが解除される。それと同時に、剥離ピン３３ｈが、初期ポジションＪ１から上方に移動して剥離ポジションＪ２に移り、フィルムＦが持ち上げられてプラテンローラ２０から剥離される。このように、ロック解除とフィルムＦの剥離とを操作ハンドル４３の一操作で行うことが可能であるので、フィルムＦ交換に係る操作を簡略化し作業性を向上することができる。更に、ユーザは、この操作ハンドル４３を手前に引っ張ることで、フィルムＦを保持したフィルムカセット部１３を、容易に前方に引き出すことができる。このとき、フィルムＦは、剥離ピン３３ｈにより持ち上げられてプラテンローラ２０及びクランプローラ１９ａ，１９ｂから離間しているので、フィルムＦは、プラテンローラ２０やクランプローラ１９ａ，１９ｂに引っ張られることもなく、印刷部本体３１側のガイドピン３１ｂや機械部に絡むこともない。
【００３４】
そして、フィルムカセット部１３は、スライドレール３５ａのストッパ機構により、印刷部本体３１から前方に迫り出した状態で停止する。このとき、フィルムカセット部１３は、印刷部本体３１に支持された状態となり、ユーザ自身がフィルムカセット部１３の重量を負担する必要がないので、作業が軽減されフィルムＦ交換の作業性も向上する。この状態で、ユーザは、フィルムＦのボビン１５，１６をボビン装着部１３ｂ，１３ｃの後側から抜き差し、新しいフィルムＦを、ガイドピン３３ａ、剥離ピン３３ｈ、ガイドピン３３ｂ、ガイドピン３３ｃ及びガイドピン３３ｄの外側に順に引っ掛けて張り渡す。
【００３５】
その後、フィルムカセット部１３が印刷部本体３１に押し込まれると、フィルムＦは、プラテンローラ２０と、クランプローラ１９ａ，１９ｂとの間に入り込む。そして、操作ハンドル４３が反時計回りに回転されると、回動レバー３７のロック用フック部４５が、係止ポジションＫ１において、印刷部本体３１のフレーム３１ａの前面上端に係止され、フィルムカセット部１３のスライド移動がロックされる。それと同時に、回動レバー３７の回動で剥離ピン３３ｈが初期ポジションＪ１に移動するので、フィルムＦは、プラテンローラ２０の外周面に巻き付いて再び搬送路Ｈ１上に戻る。その後、ユーザが扉５ｂを閉じるとフィルムＦの交換作業が完了する。
【００３６】
以上のように、上記印刷部３の構成によれば、フィルムＦの交換を円滑に行うことが可能である。
【図面の簡単な説明】
【００３７】
【図１】本発明に係る中間転写型熱転写印刷装置の一実施形態を示す左側面図である。
【図２】図１の中間転写型熱転写印刷装置の正面図である。
【図３】図１の中間転写型熱転写印刷装置の背面図である。
【図４】図１の中間転写型熱転写印刷装置の右側面図である。
【図５】図１の中間転写型熱転写印刷装置の印刷部を示す斜視図である。
【図６】図５の印刷部において、フィルムカセット部を前方に引き出した状態を示す斜視図である。
【図７】フィルムカセット部を後方から見た状態を示す斜視図である。
【図８】フィルムカセット部に装着されたフィルムとプラテンローラとの位置関係を示す正面図である。
【図９】フィルムカセット部及びプラテンローラを示す斜視図である。
【図１０】図９のフィルムカセット部において、剥離ピンが剥離ポジションに移動した状態を示す斜視図である。
【図１１】フィルムカセット部のギア駆動部を分解して示す分解斜視図である。
【図１２】図８のロック用フック部付近を拡大して側面から見た側面図である。
【符号の説明】
【００３８】
１…中間転写型熱転写印刷装置、３…印刷部、１３…フィルムカセット部、２０…プラテンローラ、２１…サーマルヘッド、２３…ヒートローラ、３１ａ…フレーム、３３ｈ…剥離ピン、３５ａ…スライドレール（ガイドレール）、３７…回動レバー、４５…ロック用フック部、Ｄ…プラテンローラの回転軸線、Ｆ…フィルム、Ｈ１…フィルムの搬送路、Ｒ…インクリボン、Ｓ…冊子（記録媒体）。
【図１】
2007307837.tif 000003
【図２】
2007307837.tif 000004
【図３】
2007307837.tif 000005
【図４】
2007307837.tif 000006
【図５】
2007307837.tif 000007
【図６】
2007307837.tif 000008
【図７】
2007307837.tif 000009
【図８】
2007307837.tif 000010
【図９】
2007307837.tif 000011
【図１０】
2007307837.tif 000012
【図１１】
2007307837.tif 000013
【図１２】
2007307837.tif 000014